(57)【要約】      （修正有）【課題】魚に引っ掛ける必要時以外は、常に釣針が露出されるのを防止するようにしたルアーを提供する。【解決手段】釣り糸に連結されて釣りに供されるルアー１において、内側に釣針収納部１１を有するとともに、釣り糸に連結されるルアー本体１０と、魚の捕食動作によって移動する作用部４２と魚を引っかけるフック部４１とを有する。さらに、ルアー本体１０によって支持されて、フック部４１が釣針収納部１１に収納された収納位置と、ルアー本体１０から突出された突出位置とを取り得る釣針４０と、を備え、釣針４０は、ルアー本体１０に対する魚の捕食動作による作用部４２の動作により、収納位置から突出位置に移動する。【選択図】図１
0003176180.tif 000002
【実用新案登録請求の範囲】
【請求項１】
釣り糸に連結されて釣りに供されるルアーにおいて、
内側に釣針収納部を有するとともに、前記釣り糸に連結されるルアー本体と、
一端部に作用部を有し、他端部にフック部を有し、前記作用部が前記ルアー本体から突出して前記フック部が前記釣針収納部に収納される収納位置と、前記作用部に対する魚の捕食動作によって前記フック部が前記ルアー本体から突出される突出位置との間を、前記ルアー本体によって移動可能に支持された第１釣針と、
前記第１釣針を前記収納位置に保持するとともに、前記魚の捕食動作により前記第１釣針の前記収納位置から前記突出位置への移動を許容する保持部材と、を備える、
ことを特徴とするルアー。
【請求項２】
前記第１釣針は、前記作用部と前記フック部との間に、前記ルアー本体によって揺動可能に支持される揺動中心を有し、揺動動作によって前記収納位置と前記突出位置との間を移動する、
ことを特徴とする請求項１に記載のルアー。
【請求項３】
前記ルアー本体は、前記釣り糸が連結される一方の端部と、前記一方の端部から遠い他方の端部と、前記一方の端部と前記他方の端部とを連結するとともに相互に対向する一対の側部とを有し、
前記第１釣針は、前記収納位置に配置された際に、前記作用部が一方の前記側部から突出し、前記突出位置に配置された際に、前記フック部が他方の前記側部から突出して前記フック部の先端を前記一方の端部側に向ける、
ことを特徴とする請求項１又は２に記載のルアー。
【請求項４】
前記第１釣針を前記突出位置にロックするロック機構を備える、
ことを特徴とする請求項１ないし３のいずれか１項に記載のルアー。
【請求項５】
前記作用部は、前記第１釣針が前記収納位置に配置された状態において、前記ルアー本体の前記一方の側部における前記作用部近傍に対して直交する方向の力が、前記作用部に作用したときに、前記第１釣針を前記収納位置方向に向けて付勢する、
ことを特徴とする請求項２ないし４のいずれか１項に記載のルアー。
【請求項６】
前記作用部は、前記第１釣針が前記収納位置に配置された状態において、前記魚の前記捕食動作により前記一方の端部側から前記他方の端部側に引かれたときに、前記第１釣針を前記突出位置に突出させる、
ことを特徴とする請求項２ないし５のいずれか１項に記載のルアー。
【請求項７】
前記第１釣針と同じ構造で、前記収納位置に配置された際に、前記作用部が他方の前記側部から突出し、前記突出位置に配置された際に、前記フック部が一方の前記側部から突出して前記フック部の先端を前記一方の端部側に向ける第２釣針を備える、
ことを特徴とする請求項３ないし６のいずれか１項に記載のルアー。
【請求項８】
前記第１釣針と前記第２釣針とからなる第１組よりも前記他方の端部側に、前記第１釣針と前記第２釣針と同じ構造の第３釣針と第４釣針からなる第２組とを備える、
ことを特徴とする請求項７に記載のルアー。
【請求項９】
前記第３釣針及び前記第４釣針が、前記第１釣針及び前記第２釣針よりも小さい、
ことを特徴とする請求項８に記載のルアー。
【請求項１０】
前記第１釣針は、前記作用部と前記フック部との間の中間部が、前記ルアー本体によってスライド可能に支持され、スライド動作によって前記収納位置と前記突出位置との間を移動する、
ことを特徴とする請求項１に記載のルアー。
【考案の詳細な説明】
【技術分野】
【０００１】
本考案は、ルアーフィッシングの釣りに使用するルアーに関する。
【背景技術】
【０００２】
ルアーフィッシングの釣りに使用するルアー（疑似餌）は、大別して、ハードルアーとソフトルアーとあるが、いずれも、プラスチック、金属、革等で形成されたルアー本体と、これに取り付けられて使用される釣針とを備えている。
【０００３】
ルアーは、釣針が初めからルアー本体に取り付けられている場合も、ルアーを使用する際にルアー本体に取り付けて使用する場合もあるが、いずれの場合も使用時には、釣竿に取り付けられた釣り糸の先に装着され、釣竿を振り下ろすことで、水面、海面に投入される。そして、リールを適宜に巻き上げて、ルアーをそれがあたかも生き物であるがごとく回遊させることで魚を誘い、ルアーを捕食した魚を釣針で引っかけて釣り上げる。
【先行技術文献】
【特許文献】
【０００４】
【特許文献１】特開２００９−１７８１１５号公報
【考案の概要】
【考案が解決しようとする課題】
【０００５】
ルアーは、その釣針がルアー本体から常に露出された状態になっていた。
このため、ルアーは、保管箱等で保管する際に、ルアー本体に釣針が取り付けられている場合も、別体の場合も、ルアー本体と釣針との合計の保管スペースが必要であるため、保管スペースが多く必要であるという問題があった。
【０００６】
また、手でルアーを取り扱う際、すなわち、保管箱から取り出したり、ルアー本体に釣針を取り付けたり、ルアーを釣り糸の先に取り付けたりする際に、釣針でけがをしたり、釣針を他のものに引っかけたりするという問題があった。
【０００７】
また、釣り時には、ルアーを水面等に投入する際に、近くにいる他の釣り人や、草木に釣針を引っかけたりするという問題があった。
【０００８】
さらに、ルアーを水面等に投入後、リールを回転させて、釣り糸を巻き上げてルアーを引き寄せる際に、釣針を水草や岩に引っ掛けてしまうという問題があった。
【０００９】
本考案は、上述した事情に鑑みてなされたものであり、保管箱等での保管時の保管スペースが少なくて済み、取り扱い時の釣針によるけがを防止し、取り扱い時や水面等への投入時や投入後の引き寄せ時等に釣針が近くの人や草木や水草や岩等に引っ掛かることを防止するようにしたルアーを提供することを目的とするものである。
【課題を解決するための手段】
【００１０】
請求項１に係る考案は、釣り糸に連結されて釣りに供されるルアーにおいて、内側に釣針収納部を有するとともに、前記釣り糸に連結されるルアー本体と、一端部に作用部を有し、他端部にフック部を有し、前記作用部が前記ルアー本体から突出して前記フック部が前記釣針収納部に収納される収納位置と、前記作用部に対する魚の捕食動作によって前記フック部が前記ルアー本体から突出される突出位置との間を、前記ルアー本体によって移動可能に支持された第１釣針と、前記第１釣針を前記収納位置に保持するとともに、前記魚の捕食動作により前記第１釣針の前記収納位置から前記突出位置への移動を許容する保持部材と、を備える、ことを特徴とする。
【００１１】
請求項２に係る考案は、請求項１に係るルアーにおいて、前記第１釣針は、前記作用部と前記フック部との間に、前記ルアー本体によって揺動可能に支持される揺動中心を有し、揺動動作によって前記収納位置と前記突出位置との間を移動する、ことを特徴とする。
【００１２】
請求項３に係る考案は、請求項１又は２に係るルアーにおいて、前記ルアー本体は、前記釣り糸が連結される一方の端部と、前記一方の端部から遠い他方の端部と、前記一方の端部と前記他方の端部とを連結するとともに相互に対向する一対の側部とを有し、前記第１釣針は、前記収納位置に配置された際に、前記作用部が一方の前記側部から突出し、前記突出位置に配置された際に、前記フック部が他方の前記側部から突出して前記フック部の先端を前記一方の端部側に向ける、ことを特徴とする。
【００１３】
請求項４に係る考案は、請求項１ないし３のいずれか１項に係るルアーにおいて、前記第１釣針を前記突出位置にロックするロック機構を備える、ことを特徴とする。
【００１４】
請求項５に係る考案は、請求項２ないし４のいずれか１項に係るルアーにおいて、前記作用部は、前記第１釣針が前記収納位置に配置された状態において、前記ルアー本体の前記一方の側部における前記作用部近傍に対して直交する方向の力が、前記作用部に作用したときに、前記第１釣針を前記収納位置方向に向けて付勢する、ことを特徴とする。
【００１５】
請求項６に係る考案は、請求項２ないし５のいずれか１項に係るルアーにおいて、前記作用部は、前記第１釣針が前記収納位置に配置された状態において、前記魚の前記捕食動作により前記一方の端部側から前記他方の端部側に引かれたときに、前記第１釣針を前記突出位置に突出させる、ことを特徴とする。
【００１６】
請求項７に係る考案は、請求項３ないし６のいずれか１項に係るルアーにおいて、前記第１釣針と同じ構造で、前記収納位置に配置された際に、前記作用部が他方の前記側部から突出し、前記突出位置に配置された際に、前記フック部が一方の前記側部から突出して前記フック部の先端を前記一方の端部側に向ける第２釣針を備える、ことを特徴とする。
【００１７】
請求項８に係る考案は、請求項７に係るルアーにおいて、前記第１釣針と前記第２釣針とからなる第１組よりも前記他方の端部側に、前記第１釣針と前記第２釣針と同じ構造の第３釣針と第４釣針からなる第２組とを備える、ことを特徴とする。
【００１８】
請求項９に係る考案は、請求項８に係るルアーにおいて、前記第３釣針及び前記第４釣針が、前記第１釣針及び前記第２釣針よりも小さい、ことを特徴とする。
【００１９】
請求項１０に係る考案は、請求項１に係るルアーにおいて、前記第１釣針は、前記作用部と前記フック部との間の中間部が、前記ルアー本体によってスライド可能に支持され、スライド動作によって前記収納位置と前記突出位置との間を移動する、ことを特徴とする。
【考案の効果】
【００２０】
請求項１の考案によれば、第１釣針は、魚の捕食動作により、収納位置から突出位置に移動されるので、ルアー本体から突出されたフック部によって魚を引っかけることができる。一方、捕食動作以外の場面では、第１釣針は、収納位置に配置されてフック部が釣針収納部に配置されて露出されないので、露出された第１釣針に起因する不具合をなくすことができる。すなわち、保管箱等での保管時の保管スペースが少なくて済み、取り扱い時の第１釣針によるけがを防止し、取り扱い時や水面等への投入時や投入後の引き寄せ時等に第１釣針が近くの人や草木や水草や岩等に引っ掛かることを防止することができる。
【００２１】
請求項２の考案によれば、第１釣針の収納位置と突出位置との間の移動を、揺動動作によって行うことができるので、揺動動作以外の他の動作、例えば、スライド動作を実現するための構成と比較して、構成を簡単にすることができる。
【００２２】
請求項３の考案によれば、収納位置の配置された第１釣針は、一方の側部から作用部が突出されているので、ルアー本体の他方の端部側からの魚の捕食動作によってこの作用部が動かされると、揺動動作によって、他方の側部からフック部を突出位置に突出させる。このとき、突出位置に配置されたフック部は、その先端が一方の端部側に向いているので、魚の口に引っ掛かる。
【００２３】
請求項４の考案によれば、突出位置に突出された第１釣針をロック機構でロックすることにより、フック部に引っかかった魚を確実に捕獲することができる。
【００２４】
請求項５の考案によれば、第１釣針が収納位置に配置された状態の作用部に外力が作用した場合に、第１釣針は、突出位置方向に向けて付勢される確率よりも、収納位置方向に向けて付勢される確率の方が高いので、突出位置に露出されるおそれが少ない。
【００２５】
請求項６の考案によれば、魚の捕食動作により、作用部がルアー本体の一方の端部側（釣り糸が連結される端部側）から他方の端部側に引かれたときに、すなわち、例えば、釣り糸を巻き上げてルアーを引き寄せている動作中に、ルアー本体に対する魚の捕食動作が発生して、ルアー本体に対して作用部が相対的に他方の端部側に引かれた際に、第１釣針が突出位置に配置されてフック部が突出されて、魚の口に引っ掛かる。
【００２６】
請求項７の考案によれば、突出位置に配置された際にフック部が一方の側部から突出される第１釣針に加えて、他方の側部から突出される第２釣針を備えているので、魚を確実に捕獲することができる。
【００２７】
請求項８の考案によれば、さらに、第３釣針と第４釣針とを備えているので、より一層、魚を確実に捕獲することができる。特に、魚の捕食動作時に、ルアー本体の他方の端部側を浅く捕食して、第１釣針、第２釣針までは届かなかった魚を確実に捕獲することができる。
【００２８】
請求項９の考案によれば、第３釣針、第４釣針が、第１釣針、第２釣針よりも小さいので、これら第３釣針、第４釣針によって、口の小さい魚を捕獲することができる。
【００２９】
請求項１０の考案によれば、第１釣針は、スライド動作によって収納位置と突出位置との間を移動するので、簡単な構造とすることができる。
【図面の簡単な説明】
【００３０】
【図１】実施形態１のルアー１の分解斜視図である。
【図２】（Ａ）は第１釣針４０の収納位置Ｐ１を説明する図であり、（Ｂ）は突出位置Ｐ２を説明する図である。
【図３】第１釣針４０の揺動中心となる軸１４を説明する図である。
【図４】ロック機構６０を説明する図である。
【図５】第１釣針４０が突出位置Ｐ２に配置された状態を示す左側面図である。
【図６】実施形態２のルアー２の分解斜視図である。
【図７】ルアー２の分解正面図である。
【図８】第１釣針４０と第２釣針４０Ａとがそれぞれ突出位置Ｐ２に配置された状態を説明する図である。
【図９】第１釣針４０と第２釣針４０Ａと第３釣針４０Ｂと第４釣針４０Ｃとがそれぞれ突出位置Ｐ２に配置された状態を説明する図である。
【考案を実施するための形態】
【００３１】
以下、本考案を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３２】
図１〜図５を参照して本考案を適用した実施形態１に係るルアー１について説明する。ここで、図１は、ルアー１の分解斜視図である。図２（Ａ）は第１釣針４０の収納位置Ｐ１を説明する図であり、（Ｂ）は突出位置Ｐ２を説明する図である。図３は、第１釣針４０の揺動中心となる軸１４を説明する図である。図４は、ロック機構６０を説明する図である。図５は、第１釣針４０が突出位置Ｐ２に配置された状態を示す左側面図である。
【００３３】
なお、以下の説明では、説明の便宜上、図１中の矢印で示す上下前後左右が、ルアー１の上下前後左右に対応するものとして説明する。また、適宜、ルアー１の上下方向の寸法を高さ、前後方向の寸法を長さ、左右方向の寸法を幅というものとする。
ルアー１は、ルアー本体１０と、第１釣針４０と、保持部材５０とを備えて構成されている。
図示例のルアー本体１０は、魚の形態を模して形成されており、左右方向の幅寸法よりも上下方向の高さ寸法が長く、さらに高さ寸法よりも前後方向の長さ寸法が長く形成されている。
【００３４】
ルアー本体１０は、図１，図２に示すように、釣り糸７０が連結される前端部（一方の端部）１０ａと、この前端部１０ａから遠い後端部（他方の端部）１０ｂと、前端部１０ａと後端部１０ｂとを連結するとともに相互に対向する上側部（一方の側部）１０ｃ、下側部（他方の側部）１０ｄからなる一対の側部とを有している。
【００３５】
ルアー本体１０は、左右方向に直角で、かつ左右方向の中心を通る平面（不図示）によって左右に分割されて、左本体２０と右本体３０となっている。これら左本体２０と右本体３０とは、上述の平面を基準にほぼ面対称に形成されていて、両者を嵌合、接着等によって合わせることで、ルアー本体１０が形成されている。
【００３６】
右本体３０には、前後方向の中央に、凹部３１が形成されている。この凹部３１は、後述する左本体２０の凹部２１とともに、釣針収納部１１を構成する。凹部３１の上側でかつ前側、及び下側には、切欠部３２，３３が形成されている。これら切欠部３２，３３は、後述の左本体２０の切欠部２２，２３とともに、上側部１０ｃ、下側部１０ｄにスリット状の開口部１２，１３を構成する。なお、これら開口部１２，１３からは後述する第１釣針４０の一部が出入りする。
【００３７】
凹部３１の前側の上部には、右本体３０を左右方向に貫通する透孔３４が穿設されている。この透孔３４には、第１釣針４０の揺動中心となる軸１４が貫通されている。
【００３８】
右本体３０の前端部１０ａには、釣り糸７０が連結される透孔３５が形成されている。
【００３９】
凹部３１には、これと同形で、凹部３１の深さよりも薄い、シート状の保持部材５０が配設されている。保持部材５０には、上述の透孔３４に対応する位置に透孔５１が穿設され、また、後述するロック機構６０に対応する位置に透孔５２が穿設されている。保持部材５０としては、例えば、シリコーンゴムシートを使用することができる。
【００４０】
左本体２０は、上述の右本体３０とほぼ同様に形成されている。
【００４１】
すなわち、左本体２０には、前後方向の中央に、凹部２１が形成されている。この凹部２１は、上述の右本体３０の凹部３１とともに、釣針収納部１１を構成する。凹部２１の上側でかつ前側、及び下側には、切欠部２２，２３が形成されている。これら切欠部２２，２３は、上述の右本体３０の切欠部３２，３３とともに、上側部１０ｃ、下側部１０ｄにスリット状の開口部１２，１３を構成する。なお、これら開口部１２，１３からは後述する第１釣針４０の一部が出入りする。
【００４２】
凹部２１の前側の上部には、左本体２０を左右方向に貫通する透孔２４が穿設されている。この透孔２４には、第１釣針４０の揺動中心となる軸１４が貫通されている。
【００４３】
左本体２０の前端部１０ａには、釣り糸７０が連結される透孔２５が形成されている。
【００４４】
凹部２１には、これと同形で、凹部２１の深さよりも薄い、シート状の保持部材５０が配設されている。保持部材５０には、上述の透孔２４に対応する位置に透孔５１が穿設され、後述するロック機構６０に対応する位置に透孔５２が形成されている。保持部材５０としては、例えば、シリコーンゴムシートを使用することができる。なお、保持部材５０は、図１では、１枚のみ図示しているが、同様のものが、右本体３０の凹部３１と左本体２０の凹部２１とに配設されている。
【００４５】
左本体２０には、さらに、透孔２４よりも後側で、かつ下側に、ロック機構取付孔２６が形成されている。ロック機構取付孔３６は、図４に示すように、小径部２７と、大径部２８と、この大径部２８の入口（表面側）に形成された雌ねじ部２９とを備えていて、後述するロック機構６０が配設される。
【００４６】
図１，図２に示すように、第１釣針４０は、全体として屈曲形状に形成されていて、一端部に作用部４２を有し、他端部にフック部４１を有し、これら作用部４２とフック部４１との間に揺動中心４３を有している。揺動中心４３からフック部４１に向かって延びるフック側アーム４４の先端にフック部４１の基端部があり、フック部４１の先端には、カエシ４６が形成されている。
【００４７】
揺動中心４３から作用部４２に向かって延びる作用側アーム４５の先端部に作用部４２が設けられている。フック側アーム４４の中間には、後述するロック機構６０のロックピン６１が係脱可能な透孔４７が穿設されている。
【００４８】
第１釣針４０は、その揺動中心４３を軸１４が左右方向に貫通することで、ルアー本体１０によって揺動可能に支持されている。図３に示すように、軸１４は、右本体３０の透孔３４、右側の保持部材５０の透孔５１、第１釣針４０の揺動中心４３、左側の保持部材５０の透孔５１、左本体２０の透孔２４を貫通して、第１釣針４０を揺動可能に支持している。これにより、第１釣針４０は、図２（Ａ）に示す収納位置Ｐ１と、図２（Ｂ）に示す突出位置Ｐ２との間を移動することが可能となる。なお、突出位置Ｐ２に配置された第１釣針４０は、後述のロック機構６０によってその位置に保持される。
【００４９】
第１釣針４０は、揺動中心４３が、凹部３１における前側で、かつ上側に配置されている。また、フック側アーム４４は、作用側アーム４５よりも長く形成されている。これにより、作用部４２の動きを拡大してフック部４１に伝えている。
【００５０】
第１釣針４０は、図２（Ｂ）の突出位置Ｐ２に配置された状態において、フック側アーム４４は、下側斜め後方に延びて、その一部（先端側）を下側部１０ｄの開口部１３から突出させ、先端部（下端部）がフック部４１の基端部に連続している。フック部４１は、基端部がフック側アーム４４の先端部に連結されていて、カエシ４６を有する先端部が前方に向かって延びている。
【００５１】
第１釣針４０が突出位置Ｐ２に配置された際のフック部４１は、下側部１０ｄの開口部１３から適宜な距離ｄを隔てて配置されている。これにより、フック部４１が魚の口に引っ掛かるようになっている。
【００５２】
図２（Ｂ）の突出位置Ｐ２に配置された状態において、作用側アーム４５は、上側斜め後方に延びて、作用部４２を開口部１２から突出させている。
【００５３】
第１釣針４０は、図２（Ａ）に示す収納位置Ｐ１において、フック側アーム４４は、揺動中心４３から後方に延び、その先端部から、フック部４１が下側斜め前方に延びる。この状態において、フック側アーム４４及びフック部４１は、全体が、釣針収納部１１に収納されていて、ルアー本体１０の外側に露出されることはない。
【００５４】
一方、図２（Ａ）に示すように、第１釣針４０が収納位置Ｐ１に配置された状態において、作用側アーム４５は、上側斜め前方に向けて延びていて、先端の作用部４２を、上側部１０ｃの開口部１２から突出させている。
【００５５】
これにより、第１釣針４０が収納位置Ｐ１に配置されている状態で、作用部４２に外力が作用したときに、フック部４１がルアー本体１０の外部に露出しにくいようになっている。すなわち、例えば、第１釣針４０が収納位置Ｐ１に配置されている状態の、作用部近傍におけるルアー本体１０の上側部１０ｃの接線をＨとすると、この接線Ｈに対して直交する方向に外力Ｆ１が作用したとき、その外力Ｆ１の延長と、揺動中心４３との位置関係に基づいて、第１釣針４０には、これを収納位置Ｐ１側に付勢するモーメントが作用する。
【００５６】
つまり、作用部４２にいろんな方向から外力が作用した場合に、第１釣針４０は、突出位置Ｐ２側よりも収納位置Ｐ１側に付勢される確率が高くなっている。
【００５７】
第１釣針４０は、上述の２枚の保持部材５０に挟持されることで、収納位置Ｐ１に配置される。保持部材５０の材質や厚さ、さらには第１釣針４０自体の厚さを適宜に設定することにより、収納位置Ｐに配置された第１釣針４０が容易に移動しないようにする。
【００５８】
すなわち、魚の捕食動作により、第１釣針４０の作用部４２がルアー本体１０に対して相対的に後方に引かれた場合に、揺動中心４３を基準として、第１釣針４０が図２（Ａ）中の時計回りに回転し、フック部４１が釣針収納部１１の開口部１３から飛び出すようにする。これ以外、例えば、ルアー１の搬送中や、釣り時にルアー１を投入する場合、投入後、魚の捕食動作がない状態で、釣り糸を巻き上げてルアー１を引き寄せる場合等には、第１釣針４０を収納位置Ｐ１に保持するような摩擦力が発生するようにする。
【００５９】
なお、挟持力を適宜に設定することが可能であれば、上述のように２枚の保持部材５０の間で第１釣針４０を挟持するに代えて、１枚の保持部材５０と、右本体３０の凹部３１あるいは左本体２０の凹部２１との間で、第１釣針４０を挟持するようにしてもよい。
【００６０】
第１釣針４０は、図１，図４に示すロック機構６０によって突出位置Ｐ２にロック（保持）される。ロック機構６０は、ロックピン６１と、圧縮ばね６２と、雄ねじ部材６３と、キャップ６４とを有している。ロックピン６１は、先端に傾斜面６５を有している。この傾斜面６５は、第１釣針４０が収納位置Ｐ１から突出位置Ｐ２に移動する際には、第１釣針４０の透孔４７に対するロックピン６１の先端の係合を許容し、係合後には、突出位置Ｐ２から収納位置Ｐ１に向かっての移動を禁止するように傾斜している。
【００６１】
ロックピン６１の先端近傍には、大径のフランジ部６６が形成されていて、図４に示すように、ロック機構取付孔２６の小径部２７と大径部２８との間の、ストッパとして働く段部に係合するようになっている。ロックピン６１の中間は、圧縮ばね６２を貫通している。圧縮ばね６２は、雌ねじ部２９に螺合された雄ねじ部材６３とフランジ部６６との間に介装されていて、ロックピン６１を第１釣針４０側に付勢している。ロックピン６１の基端部には、キャップ６４が螺合されている。
【００６２】
上述構成のルアー１は、保管時や運搬時（搬送時）には、第１釣針４０を収納位置Ｐ１に配置して、２枚の保持部材５０の間で挟持することにより、フック部４１がルアー本体１０から不用意に飛び出して露出することを防止している。例えば、図２（Ａ）に示すように、作用部４２に対して、上方から外力Ｆ１が加わった場合でも、上述した形状に起因して、収納位置Ｐ１に保持されて、ルアー本体１０の外側にフック部４１が露出されるおそれはない。このため、保管時や搬送時に、フック部４１によって指等を怪我したり、フック部４１が他の物に引っかかったりする事故を防止することができる。
【００６３】
また、ルアー１は、釣竿に釣り糸７０を付け、釣り糸７０の先端に取り付けて、海中に投げ入れる際、及びリールを使用してのルアー１の回遊行為を行っている際にも、収納位置Ｐ１に保持される。このため、投入時に第１釣針４０が他の釣り人や草木に引っ掛かったりするのを防止できる。また、ルアー１の回遊行為を行っている際も、第１釣針が水草や岩等に引っ掛かったりするおそれがない。
【００６４】
ルアー１は、回遊行為により釣り糸７０が矢印Ｆ３方向に引かれている際に、ルアー本体１０に対する魚の捕食動作が発生すると、収納位置Ｐ１にある第１釣針４０の作用部４２が、図２（Ａ）中の矢印Ｆ２方向に相対的に引かれる。これにより、第１釣針４０は、揺動中心４３を基準として矢印Ｒ１方向に回転し、フック部４１がルアー本体１０の外部に突出されて、魚の口に引っ掛かり、さらに回転して、ロック機構６０によって突出位置Ｐ２にロックされる。このとき、第１釣針４０は、突出位置Ｐ２にロックされるので、例えば、第１釣針４０が反時計回りに回転して、魚の口から外れたりすることがない。
【００６５】
魚を釣り上げた釣り人は、魚の口から第１釣針４０を外し、その後、この第１釣針４０を収納位置Ｐ１に戻して、ルアー１を海中に投げ入れて、次の魚を狙う。
＜実施形態２＞
【００６６】
図６〜図９を参照して、実施形態２に係るルアー２について説明する。
【００６７】
ここで、図６は、ルアー２の分解斜視図である。図７は、ルアー２の分解正面図である。図８は、第１釣針４０、第２釣針４０Ａがそれぞれ突出位置Ｐ２に配置された状態を示す左側面図である。なお、以下の説明では、上述のルアー１と異なる構成を主に説明し、同様あるいは類似の構成については、同じ符号を付して、適宜説明を省略する。
【００６８】
ルアー２は、図６に示すように、２本の第１釣針４０、第２釣針４０Ａを有している。ルアー２は、右本体３０と、左本体２０との間に、中央本体８０を有している。
【００６９】
ここで、左本体２０、第１釣針４０、保持部材５０、左のロック機構６０は、上述のルアー１のそれらと同じ構成及び作用である。
【００７０】
また、右本体３０は、凹部３１の、上側部１０ｃの切欠部３２が大きく、下側部１０ｄの切欠部３３が小さく、さらに、軸１４が貫通する透孔３４が下側に位置し、ロック機構取付孔２６が設けられていて、このロック機構取付孔２６が透孔３４よりも上方に位置している。また、このロック機構取付孔２６には、左のロック機構６０と同様の構成の右のロック機構６０が配設されている。右の第２釣針４０Ａは、左の第１釣針４０に対して、上下方向が逆になるように配設されている。
【００７１】
中央本体８０は、左側に、上述の左本体２０の凹部２１とともに釣針収納部１１を構成する凹部８１Ａを有し、右側に、上述の右本体３０の凹部３１とともに釣針収納部１１を構成する凹部８１Ｂを有している。
【００７２】
ルアー２において、第１釣針４０は、上述の実施形態１のルアー１の第１釣針４０と構成及び作用効果は同じである。
【００７３】
一方、第２釣針４０Ａは、揺動中心４３を左右方向に貫通する軸１４によって図６に示す収納位置Ｐ１と、図８に示す突出位置Ｐ２との間を揺動可能に支持されている。また、収納位置Ｐ１に配置された第２釣針４０Ａは、右本体３０側に配設された保持部材５０と、中央本体８０側に配設された保持部材５０との間に挟持されて、収納位置Ｐ１を保持するようになっている。収納位置Ｐ１に配置された第２釣針４０Ａは、その作用部４２が、魚の捕食動作によって後方に引かれることにより、図６中の反時計回りに回転して、図８に示す突出位置Ｐ２に配置される。
【００７４】
本実施形態では、ルアー２は、魚の捕食動作によって、第１釣針４０は、フック部４１がルアー本体１０Ａの下側部１０ｄから突出されて突出位置Ｐ２にロックされ、第２釣針４０Ａは、フック部４１がルアー本体１０Ａの上側部１０ｃから突出されて突出位置Ｐ２にロックされる。
【００７５】
つまり、２本の第１釣針４０と第２釣針４０Ａのそれぞれのフック部４１をそれぞれルアー本体１０Ａの下側と上側とに位置させた状態でロックされるので、捕食動作を行った魚に対して、２つのフック部４１が確実に引っ掛かるようになっている。
【００７６】
なお、図９に示す例では、図８に示す第１釣針４０、第２釣針４０Ａからなる第１組に、さらにその後方に、第３釣針４０Ｂ、第４釣針４０Ｃからなる第２組の釣針を追加している。これら第３釣針４０Ｂ、第４釣針４０Ｃは、上述の第１釣針４０、第２釣針４０Ａよりも小さい釣針としている。
【００７７】
このように、第１組と第２組との釣針を配設することにより、より一層、魚を確実に捕獲することができる。特に、魚の捕食動作時に、ルアー本体２の後端部１０ｂ側を浅く捕食して、第１釣針４０、第２釣針４０Ａまでは届かなかった魚を、これら第３釣針４０Ｂ、第４釣針４０Ｃにより、確実に捕獲することができる。
【００７８】
さらに、第３釣針４０Ｂ、第４釣針４０Ｃが、第１釣針４０、第２釣針４０Ａよりも小さいので、これら第３釣針４０Ｂ、第４釣針４０Ｃによって、口の小さい魚を捕獲することができる。
【００７９】
なお、第３釣針４０Ｂ、第４釣針４０Ｃの大きさを、第１釣針４０、第２釣針４０Ａと同じ大きさに形成するようにしてもよい。
【００８０】
以上説明の説明では、ルアー１，２において、第１釣針４０〜第４釣針４０Ｃが、揺動動作する構成を例に説明したが、これに代えて、第１釣針４０〜第４釣針４０Ｃがスライド動作することで、収納位置Ｐ１と突出位置Ｐ２との間を移動するようにしてもよい。
【００８１】
また、例えば、実施形態１のルアー１において、左本体２０、右本体３０を、比較的軟らかい合成樹脂等で形成して、これらと第１釣針４０との間に、上述したような適宜な摩擦力を発生させることができれば、保持部材５０を省略することも可能である。
【００８２】
実施形態２のルアー２についても同様である。
【００８３】
以上の説明では、ルアー本体１０，１０Ａの形状が、魚を模した形状である場合を例に説明したが、ルアー本体の形状については、これらの限定されるものではなく、例えば、直方体状、円柱上等の他の形状であってもよい。
【符号の説明】
【００８４】
１  実施形態１のルアー
２  実施形態２のルアー
１０  実施形態１のルアー本体
１０Ａ  実施形態２のルアー本体
１０ａ  前端部（一方の端部）
１０ｂ  後端部（他方の端部）
１０ｃ  上側部（一方の側部）
１０ｄ  下側部（他方の側部）
１１  釣針収納部
４０  第１釣針
４０Ａ  第２釣針
４０Ｂ  第３釣針
４０Ｃ  第４釣針
４１  フック部
４２  作用部
４３  揺動中心
５０  保持部材
６０  ロック機構
７０  釣り糸
Ｐ１  収納位置
Ｐ２  突出位置
【図１】
0003176180.tif 000003
【図２】
0003176180.tif 000004
【図３】
0003176180.tif 000005
【図４】
0003176180.tif 000006
【図５】
0003176180.tif 000007
【図６】
0003176180.tif 000008
【図７】
0003176180.tif 000009
【図８】
0003176180.tif 000010
【図９】
0003176180.tif 000011